(57)【要約】【課題】天井が完成した後におけるスプリンクラー装置の施工及びメンテナンスを容易にすることができる、スプリンクラー装置のための固定装置を提供する【解決手段】本発明による固定装置(10)は、野縁(6)に固定される一対の棒状部材(12,14)と、一対の棒状部材(12,14)に固定される固定部材(20)を有し、固定部材(20)にスプリンクラーヘッド(26)と、スプリンクラー配管(28)が固定される。固定部材(20)が開口(8)の中心から外れた位置に配置されるように、一対の棒状部材(12,14)が野縁(6)に固定される。それにより、天井パネル(4)の下側から、固定部材(20)よりも上側に位置する配管作業箇所(42)にアクセスすることを容易にする。【選択図】図２
2010159604.tif 000002
【特許請求の範囲】
【請求項１】
スプリンクラー装置を、天井パネルの下側からの作業によって天井パネルに対して固定することを可能にする固定装置であって、
天井パネルを上側から保持する天井パネル保持部に固定可能であり且つ互いに間隔をあけて配置された一対の棒状部材と、
前記一対の棒状部材の間を橋渡しするように前記一対の棒状部材に固定される固定部材と、を有し、
前記一対の棒状部材は、スプリンクラー装置からの散水及びその取付けのために天井パネルに形成される開口の上に延び、前記固定部材の少なくとも一部分は、前記開口の上に位置し、
スプリンクラー装置は、前記固定部材の下側に配置されるスプリンクラーヘッドと、前記スプリンクラーヘッドに向かって前記固定部材の上側から下側に延び且つ前記固定部材に固定されるスプリンクラー配管とを有し、前記スプリンクラー配管は、前記固定部材よりも上側に位置する配管作業箇所を有し、
前記配管作業箇所への天井パネルの下側からのアクセスを容易にするために、前記固定部材が前記開口の中心から外れた位置に配置されるように、前記一対の棒状部材が天井パネル保持部に固定されることを特徴とする固定装置。
【請求項２】
前記一対の棒状部材は、前記固定部材を片持ち式に支持することを特徴とする請求項１に記載の固定装置。
【請求項３】
前記一対の棒状部材、前記固定部材及び前記スプリンクラー配管は、前記開口を通して天井パネルの下側から上側に導入することが可能であることを特徴とする請求項１又は２に記載の固定装置。
【請求項４】
前記天井パネル保持部材は、野縁であることを特徴とする請求項１〜３のいずれか１項に記載の固定装置。
【請求項５】
更に、開口を下側から覆うカバーと、前記カバーを前記天井パネルに向かって押付けるために、前記カバーと前記固定部材との間に配置された引張りばねと、を有することを特徴とする請求項１〜４のいずれか１項に記載の固定装置。
【請求項６】
前記スプリンクラー配管は、継手を含み、前記継手を前記固定部材に仮固定している間、前記継手は前記固定部材に対して回転可能であることを特徴とする請求項１〜５のいずれか１項に記載の固定装置。
【請求項７】
更に、前記天井パネル保持部に取付けられるブラケットを有し、前記ブラケットは、前記一対の棒状部材が延びる方向と垂直な方向に前記一対の棒状部材が移動することを規制する規制部を有することを特徴とする請求項１〜６のいずれか１項に記載の固定装置。
【請求項８】
前記一対の棒状部材の各々は、レバー式の締付け具によって前記天井パネル保持部に押付けられるように固定されることを特徴とする、請求項１〜７のいずれか１項に記載の固定装置。
【発明の詳細な説明】
【技術分野】
【０００１】
本発明は、スプリンクラー装置を天井パネルに対して固定するための固定装置に関し、更に詳細には、スプリンクラー装置を、天井パネルの下側からの作業によって天井パネルに対して固定することが可能な固定装置に関する。
【背景技術】
【０００２】
火災を自動的に検出して天井等から散水するスプリンクラー装置が知られている。スプリンクラー装置は、水を噴射するスプリンクラーヘッドと、スプリンクラーヘッドに水を供給するために天井パネルの上側に通されるスプリンクラー配管とを有している。具体的には、スプリンクラー配管の大部分は、吊り具等によって吊られ、スプリンクラーヘッド及びその周囲のスプリンクラー配管は、天井パネルを上側から支持するために互いに平行に配置された野縁に固定装置を介して固定されている（例えば、特許文献１〜４参照）。スプリンクラー装置を天井パネルに対して固定する作業は、一般には、天井パネルを野縁に取付けて天井を完成させる前に行われるので、作業スペース及び視野が十分に確保されている。
【先行技術文献】
【特許文献】
【０００３】
【特許文献１】実公昭第５５−２３５６０号公報（図１）
【特許文献２】特開平第７−１５１２６９号公報（図１）
【特許文献３】特開２００３−２１０６０４号公報（図５）
【特許文献４】特開２００５−３１９２７８号公報（図１）
【発明の概要】
【発明が解決しようとする課題】
【０００４】
近年、天井を完成させた後に、スプリンクラー装置を追加する作業が増加している。これは、防災意識の高まり、及び、スプリンクラー装置が設置されていない既存施設への、法改正によるスプリンクラー装置の設置の義務付け等が理由である。
【０００５】
天井の完成後に、従来と同様のスプリンクラー装置を天井パネルに対して固定する作業を行う場合、作業スペース及び視野を確保するために、多数の天井パネルを外す必要があった。このため、固定作業は、かなり手間がかかっていた。
【０００６】
また、天井の完成後に、スプリンクラー装置を点検する場合、点検するための視野を確保するために、多数の天井パネルを外して、少なくとも作業者の上半身を天井の上側に入れる必要があった。更に、スプリンクラー装置の修理や交換が必要な場合、更に、天井パネルを外す必要があった。このため、点検、修理、交換作業は、かなり手間がかかっていた。
【０００７】
そこで、本発明の目的は、天井が完成した後におけるスプリンクラー装置の施工及びメンテナンスを容易にすることができる、スプリンクラー装置のための固定装置を提供することにある。
【課題を解決するための手段】
【０００８】
上記課題を解決するために、本発明による固定装置は、スプリンクラー装置を、天井パネルの下側からの作業によって天井パネルに対して固定することを可能にする固定装置であって、天井パネルを上側から保持する天井パネル保持部に固定可能であり且つ互いに間隔をあけて配置された一対の棒状部材と、一対の棒状部材の間を橋渡しするように一対の棒状部材に固定される固定部材と、を有し、一対の棒状部材は、スプリンクラー装置からの散水及びその取付けのために天井パネルに形成される開口の上に延び、固定部材の少なくとも一部分は、開口の上に位置し、スプリンクラー装置は、固定部材の下側に配置されるスプリンクラーヘッドと、スプリンクラーヘッドに向かって固定部材の上側から下側に延び且つ固定部材に固定されるスプリンクラー配管とを有し、スプリンクラー配管は、固定部材よりも上側に位置する配管作業箇所を有し、配管作業箇所への天井パネルの下側からのアクセスを容易にするために、固定部材が開口の中心から外れた位置に配置されるように、一対の棒状部材が天井パネル保持部に固定されることを特徴としている。
【０００９】
このように構成された本発明による固定装置では、天井が完成した後、天井パネルに設けた開口を利用して、スプリンクラー装置を天井パネルに固定することができる。詳細には、固定部材が、開口の中心から外れた位置に配置されるので、固定部材が開口の中心から外れた方向の反対側において、開口から固定部材の上側、即ち、裏側へのアクセス経路を容易に確保することができる。それにより、固定部材の上側に位置する配管作業箇所における作業を、天井パネルの開口から行うことができる。その結果、天井パネルを必ずしも外す必要がなくなり、スプリンクラー装置の固定作業を、従来の固定装置よりも容易に行うことができる。また、同様に、メンテナンス作業も、従来の固定装置よりも容易に行うことができる。
【００１０】
本発明の固定装置において、好ましくは、一対の棒状部材は、固定部材を片持ち式に支持する。
【００１１】
このように構成された固定装置では、一対の棒状部材のうち開口の上に延びる部分が短くなるので、上記アクセス経路を更に容易に確保することができる。
【００１２】
本発明の固定装置において、好ましくは、一対の棒状部材、固定部材及びスプリンクラー配管は、開口を通して天井パネルの下側から上側に導入することが可能である。
【００１３】
このように構成された本発明による固定装置では、天井パネルを外すことなしに、一対の棒状部材、固定部材、スプリンクラー配管を天井パネルの上側、即ち、裏側に導入することができるので、天井パネルを外すことなしに、スプリンクラー装置を天井パネルに固定することが可能である。
【００１４】
本発明の固定装置において、好ましくは、天井パネル保持部材は野縁である。
【００１５】
このように構成された固定装置では、既存の野縁の寸法が分かっているので、野縁にあわせて、スプリンクラーヘッドの取付け高さを予め設定することができ、スプリンクラーヘッドの現場での上下調整が不要になる。
【００１６】
本発明の固定装置において、好ましくは、更に、開口を下側から覆うカバーと、カバーを天井パネルに向かって押付けるために、カバーと固定部材との間に配置された引張りばねと、を有する。
【００１７】
このように構成された固定装置では、スプリンクラーヘッドに対して大きく形成された開口を、見た目良く覆うことができる。逆にいえば、開口を大きくして、アクセス経路を広くすることにより、作業性を向上させることができる。
【００１８】
本発明の固定装置において、好ましくは、スプリンクラー配管は、継手を含み、継手を固定部材に仮固定している間、継手は固定部材に対して回転可能である。
【００１９】
このように構成された固定装置によれば、継手に接続されるスプリンクラー配管の向きに応じて、継手が回転し、その後、最も適当な向きで継手を固定することができる。
【００２０】
本発明の固定装置において、好ましくは、更に、天井パネル保持部に取付けられるブラケットを有し、ブラケットは、一対の棒状部材が延びる方向と垂直な方向に一対の棒状部材が移動することを規制する規制部を有する。
【００２１】
このように構成された固定装置によれば、棒状部材を天井パネル保持部に固定する位置の確認が容易になる。
【００２２】
本発明の固定装置において、好ましくは、一対の棒状部材の各々は、レバー式の締付け具によって天井パネル保持部に押付けられるように固定される。
【００２３】
このように構成された固定装置によれば、確実かつ容易に棒状部材をブラケットに固定することができる。
【発明の効果】
【００２４】
以上説明したように、本発明によるスプリンクラー装置のための固定装置によれば、天井が完成した後におけるスプリンクラー装置の施工及びメンテナンスを容易にすることができる。
【図面の簡単な説明】
【００２５】
【図１】住宅用のスプリンクラー装置の配管の一例の概略図である。
【図２】スプリンクラー装置のための固定構造を示す正面図である。
【図３】図２に示す固定構造の平面図である。
【図４】図２の線IV−IVにおける段面図である。
【図５】図２の線V−Vにおける断面図である。
【図６】締付け具の拡大斜視図である。
【図７】下カバーをはずした図２と同様の図である。
【図８】固定構造の変形例の部分的な正面図である。
【図９】図８に示す固定構造の平面図である。
【図１０】締付け具の拡大斜視図である。
【発明を実施するための形態】
【００２６】
図面を参照して、スプリンクラー装置のための本発明による固定装置の実施形態を説明する。図１は、住宅用のスプリンクラー装置の配管の一例の概略図である。図２は、スプリンクラー装置のための固定構造を示す正面図である。図３は、図２に示す固定構造の平面図である。図４は、図２の線IV−IVにおける断面図であり、図５は、図２の線V−Vにおける断面図である。図６は、後述する締付け具の拡大斜視図である。
【００２７】
図１に示すように、住宅用のスプリンクラー装置のための配管１００は、水道管１０１からの分岐管１０２に止水栓１０３を介して取付けられた分岐ヘッダー１０４と、分岐ヘッダー１０４から停滞水防止継手１０５を介してトイレのタンク１０６まで延びるスプリンクラー配管１０７と、停滞水防止継手１０５に取付けられたスプリンクラーヘッド１０８とを有している。スプリンクラー配管１０７は、主に、天井パネル１０９の上側、即ち、裏側を通っている。
【００２８】
止水栓１０３が開いているとき、トイレの使用のたびに、スプリンクラー配管１０７の中を水が流れ、スプリンクラー装置が火災を感知したとき、停滞水防止継手１０５を介してスプリンクラーヘッド１０８から散水される。
【００２９】
図２〜図５に示すように、スプリンクラー装置のための固定構造１は、スプリンクラー装置２を、天井パネル４の下側からの作業によって天井パネル４に対して固定することが可能であり、スプリンクラー装置２と、天井パネル４と、天井パネル４を上側から保持する天井パネル保持部である野縁６と、スプリンクラー装置２からの散水及びその取付けのために天井パネル４に形成される開口８と、本発明の実施形態である固定装置１０とを有している。
【００３０】
天井パネル４は、例えば、石膏ボード、コンパネ等で作られた厚さが約９〜２５ｍｍの板材である。天井パネル４は、野縁６に木ネジ、ビス等によって固定されている。
【００３１】
野縁６は、互いに平行に天井パネル４に沿って延びる複数の棒状の部材である。野縁６は、引掛け部を有するアルミ材で作られていることが好ましい。野縁６は、開口６ａを有する上面６ｂと、開口６ａに設けられ且つ後述する締付け具５６を引掛けるための引掛け部６ｃを有している。
【００３２】
開口８の形状及び寸法は、後述するスプリンクラー装置２の固定作業及びメンテナンス作業を行うことができれば、任意である。例えば、開口８は、円形であり、その直径は、２５０〜３００ｍｍである。
【００３３】
固定装置１０は、野縁６に固定され且つ互いに間隔をあけて野縁６から延びる一対の棒状部材１２、１４を有している。詳細には、一対の棒状部材１２、１４は、互いに間隔をあけて配置された矩形断面の２本の棒状部材であり、好ましくは、互いに平行に配置される。棒状部材１２、１４は、軽量化のために、中空であることが好ましい。
【００３４】
また、固定装置１０は、更に、一対の棒状部材１２、１４の間を橋渡しするように一対の棒状部材１２、１４に固定される固定部材２０を有している。固定部材２０は、例えば、アルミニウム又はステンレスの板材で作られる。固定部材２０は、棒状部材１２、１４に溶接によって固定されていることが好ましいが、ボルト等のその他の手段によって固定されていてもよい。また、固定部材２０は、棒状部材１２、１４の端部に固定されることが好ましいが、棒状部材１２、１４の中間に固定されてもよい。
【００３５】
固定部材２０は、スプリンクラー装置２を固定するための下面２０ａ、上面２０ｂ、及び貫通孔２４を有している。貫通孔２４は、固定部材２０の中央に設けられ、一対の棒状部材を橋渡しする方向Ｂに長い長孔であることが好ましい。また、固定部材２０は、引張りばね４６（後述）の一方の端部を支持するために上側に延びる延長部２０ｃを有している。
【００３６】
スプリンクラー装置２は、固定部材２０の下側に配置されるスプリンクラーヘッド２６と、スプリンクラーヘッド２６に向かって固定部材２０の上側から下側に延び且つ固定部材２０に固定されるスプリンクラー配管２８とを有している。詳細には、スプリンクラー配管２８は、大部分が固定部材２０の上側に位置した状態で固定された配管接続部３０と、天井パネルに沿って延びる樹脂製のホース３２を有している。
【００３７】
配管接続部３０は、好ましくは、停滞水防止継手である。停滞水防止継手３０は、概略的には、Ｔ字形をなし、下側に延びる下側管状部分３０ａと、側方に延びる２つの側方管状部分３０ｂとを有している。下側管状部分３０ａは、固定部材２０の上面２０ｂと当接する段付き部３０ｃと、且つ固定部材２０の貫通孔２４の中を下側に延びる延長部３０ｄを有している。延長部３０ｄは、散水機構を備えたスプリンクラーヘッド２６がねじ込まれる雌ネジ部３０ｅと、停滞水防止継手３０を固定部材２０に締付け固定するためのナット３０ｆが螺合する雄ネジ部３０ｇとを有している。スプリンクラーヘッド２６は、延長部分３０ｄに当接して位置決めされることが好ましい。停滞水防止継手３０は、それがナット３０ｆによって固定部材２０に完全に締付け固定されていない状態、即ち、仮固定された状態で、貫通孔２４を中心に固定部材２０に対して回転可能である。
【００３８】
２つの側方管状部分３０ｂは、一方の側に向けられた接続ポート３４ａと、その反対側に向けられた接続ポート３４ｂとを有している。
【００３９】
樹脂製のホース３２は、さや管３６に入れられていることが好ましく、防災継手３８等を介して、接続ポート３４ａ、３４ｂに接続されている。また、停滞水防止継手３０及びそれとホース３２との接続部の周りに、保温カバー４０が設けられていることが好ましい。保温カバー４０は、２つ割りになっており、停滞水防止継手３０を挟むように覆うことが可能である。保温カバー４０は、例えば、発泡ポリスチレンで作られている。
【００４０】
スプリンクラー配管２８は、固定部材２０よりも上側に位置するいくつかの箇所に、配管作業を行う配管作業箇所４２を有している。本実施形態では、配管作業箇所４２は、停滞水防止継手３０を固定部材に取付ける箇所３０ｃ、樹脂製のホースを防災継手３８を介して接続ポート３４ａ、３４ｂに接続する箇所、保温カバー４０を取付ける箇所等である。
【００４１】
固定装置２０は、更に、天井パネル４の開口８を下側から覆う下カバー４４と、下カバー４４を天井パネル４に向かって押付けるために、下カバー４４と固定部材２０の延長部２０ｃとの間に配置された引張りばね４６とを有している。下カバー４４は、天井パネル４に下側から当接可能な環状部４４ａと、開口８をあけたときに生じ且つ環状部４４ａの内側に配置された円形のパネル部分４４ｂと、パネル部分４４ｂにあけられた孔を閉鎖するコンシールド４４ｃとを有していることが好ましい。
【００４２】
一対の棒状部材１２、１４は、野縁６から開口８の上に延び、固定部材２０の少なくとも一部分は、開口８の上に位置している。一対の棒状部材１２、１４は、固定部材２０を片持ち式に支持することが好ましいが、開口８に対して反対側に位置する野縁６まで延びることにより、固定部材２０を両持ち式に支持してもよい。一対の棒状部材１２、１４は、固定部材２０が開口８の中心から外れた位置に配置されるように、野縁６に固定されることが好ましい。それに合わせて、下カバー４４の孔も、開口８の中心から外れた位置に配置されることが好ましい。
【００４３】
棒状部材１２、１４は各々、２つのレバー式の締付け具５６によって野縁６に押付けられるように固定されている。図６に示すように、レバー式の締付け具５６は、レバーを回動させることによって、棒状部材１２、１４を野縁６に押付けて固定する種類のものであることが好ましい。具体的には、図６に示すように、締付け具５６は、回動軸線５６ｃを中心に互いに回動可能に取付けられた回動レバー５６ａと、引掛け部５６ｂとを有している。回動レバー５６ａは、回動軸線５６ｃの近くに設けられた脚部５６ｄを有し、それから一方の方向に延びている。
【００４４】
脚部５６ｄは、棒状部材１２、１４の上面に当接箇所で当接し、その上を転動且つ摺動可能である。脚部５６ｄの輪郭は、回動レバー５６ａを上側から棒状部材１２、１４に近づけるように回動させたときに、引掛け部５６ｂを引っ張る力が増大するように回動軸線５６ｃと当接箇所との間の距離が増大し、且つ、回動レバー５６を更に回動させたときに、かかる距離が減少するように定められている。本実施形態では、回動レバー５６ａが水平方向に向けられたときに、かかる距離は最大になる。
【００４５】
引掛け部５６ｂは、折り曲げられた棒材からなり、回動軸線５６ｃ一方の側から下側に延びる第１の側部５６ｅと、回動軸線５６ｃの他方の側から下側に延びる第２の側部５６ｆと、第１の側部の端部と第２の側部の端部とをほぼ横方向に連結するループ部５６ｇとを有している。第１の側部５６ｅ及び第２の側部５６ｆは、逆Ｊ字形に延び、即ち、回動軸線５６ｃから下側に延びた後、回動レバー５６ａが回動軸線５６ｃから延びる方向と同じ方向に少し上側に延びている。回動レバー５６ａ、第１の側部５６ｅ、第２の側部５６ｆ及びループ部５６ｇによって囲まれる空間は、その中を棒状部材１２、１４が通り抜けることができる形状及び大きさであることが好ましい。
【００４６】
固定装置１０は、更に、野縁６に固定されるブラケット６４を有していることが好ましい。ブラケット６４は、野縁６に引掛けることが可能な上側水平部６４ａと、野縁６に側方から当接する垂直部６４ｂと、棒状部材１２、１４を載せることができる上面６４ｄを有する下側水平部６４ｃとを有している。垂直部６４ｂは、ブラケット６４を野縁６に側方からねじで留めるための孔６４ｅを有している。
【００４７】
ブラケット６４は、更に、一対の棒状部１２、１４を位置決めするための規制部を有している。具体的には、垂直部６４ｂから上側に延び且つ野縁方向Ｂに間隔をおいて配置された４つの上向き延長部６４ｆを有しており、上記規制部は、隣接した上向き延長部６４ｆの側縁６５によって構成されている（図５参照）。本実施形態では、隣接した上向き延長部６４ｆの間の距離Ｄは、棒状部１２、１４の幅Ｗよりも僅かに大きく、かくして、隣接した上向き延長部６４ｆの間に棒状部１２、１４を配置したときに、棒状部１２、１４が、予め決められたピッチＰに位置決めされる。また、ブラケット６４の取付け位置が正確であれば、隣接した上向き延長部６４ｆの間に棒状部１２、１４を配置したときに、棒状部１２、１４が、野縁方向Ｂに対して垂直な方向に位置決めされる。変形例として、棒状部１２、１４を上向き延長部６４ｆの側縁６５に当接させることによって、棒状部１２、１４を位置決めしてもよい。この場合、中央寄りの上向き延長部６４ｆだけが設けられてもよいし、両側の上向き延長部６４ｆだけが設けられてもよい。ブラケット６４は、１枚の板材から形成されていることが好ましい。
【００４８】
一対の棒状部材１２、１４、固定部材２０及びスプリンクラー配管２８は、組み立てられた形態で又は分解された形態で、天井パネル４の開口８を通して天井パネル４の下側から上側に導入できることが好ましい。
【００４９】
次に、スプリンクラー装置を天井パネルに固定する方法の一例を説明する。図７は、下カバーを外した図２と同様の図である。
【００５０】
野縁６によって上側から保持された天井パネル４の下側から、スプリンクラー装置２からの散水のための開口８を天井パネル４に形成する。詳細には、スプリンクラー装置２を設置する箇所を、隣接した野縁６の間に決定する。決定した設置箇所を含み、且つ設置に必要な開口寸法を考慮した大きさの開口を、天井パネル４の下側からあける。この開口は、スプリンクラー装置２が散水するための開口でもあり、後述するスプリンクラー装置２の固定作業に使用する開口でもある。切り抜いた天井パネルの部分を、下カバー４４の環状部４４ａの内側に配置する（図２参照）。
【００５１】
次に、ブラケット６４を開口８から天井パネル４の上側に導入し、その上側水平部６４ａを野縁６、７に引掛けると共に、開口８から取付け工具、例えば、電動ドリルを差入れ、ブラケット６４を、垂直部６４ｂの側方から野縁６、７にねじ止め固定する。
【００５２】
次に、さや管３６に通した樹脂製のホース３２を天井パネル４の上に配置する。樹脂製のホース３２は、開口８から導入されてもよいし、他の箇所から導入されてもよい。
【００５３】
次に、停滞水防止継手３０を、固定部材２０の上側から下側に延びるように固定部材２０に仮固定する。詳細には、停滞水防止継手３０の延長部３０ｄを、固定部材２０の貫通孔２４に通し、ナット３０ｆを延長部３０ｄの雄ネジ部３０ｇに螺合させ、固定部材２０を締付ける。それにより、停滞水防止継手３０が固定部材に固定される。本実施形態では、ナット３０ｆを完全に締付けない状態、即ち、停滞水継手３０を固定部材２０に仮固定する。それにより、停滞水防止継手３０は、固定部材２０に対して回転可能である。
【００５４】
次に、互いに固定されている一対の棒状部材１２、１４及び固定部材２０と、それに仮固定されている停滞水防止継手を、開口８を通して天井パネル４の上側に導入して、野縁６から片持ち式に延びるように野縁６に固定する。詳細には、棒状部材１２、１４及び固定部材２０を開口８から天井パネル４の上側に導入し、野縁６の上に乗せる。このとき、棒状部材１２、１４の両端部をブラケット６４の規制部、即ち、側縁６５によって、棒状部材１２、１４をブラケット６４に対して位置決めし、即ち、棒状部材１２、１４の野縁方向Ｂの移動が阻止される。それにより、棒状部材１２、１４の野縁６への位置決めが一層容易になる。棒状部材１２、１４が所定の場所にピッチＰで位置決めされる。
【００５５】
また、締付け具５６を、棒状部材１２、１４に嵌めた状態で、開口８から天井パネルの上側に導入し、棒状部材１２、１４を締付け具５６によって固定する。詳細には、締付け具５６のループ部５６ｇを野縁６の引掛け部６ｃに引掛け、回動レバー５６ａを上向きから下側に水平方向を越えるまで回動させる。回動レバーは、それが棒状部材１２、１４に当接するまで回動することが可能である。この状態において、引掛け部６ｃが上側に引っ張られると共に、棒状部材１２、１４がブラケット６４に押付けられて固定される。また、回動レバー５６ａが水平方向を越えるまで回動されているので、回動レバー５６ａが上向きに戻ることが防止される。
【００５６】
次に樹脂性のホース３２と停滞水防止継手３０の接続ポート３４ａ、３４ｂとを防災継手３８を介して接続する。固定部材２０が開口８の中心から外れて配置されているので、固定部材２０が中心から外れた方向と反対側の開口の上に、上記接続作業を容易に行うための空間が構成される。
【００５７】
次に、保温カバー４０を開口８を通して固定部材２０の上側に導入し、停滞水防止継手３０の周り及びそれとホース３２との接続部の周りに、保温カバー４０を取付ける。固定部材２０が開口８の中央に位置しているときは、保温カバー４０を固定部材２０の上側まで導入することはできないが、固定部材２０が開口の中心から外れて配置されていることにより、保温カバー４０が固定部材２０の上側まで通る経路Ａが形成される。また、それと同時に、作業者が手を入れるスペース及び視野が確保され、保温カバー４０を容易に停滞水防止継手３０の周りに取付けることができる。
【００５８】
スプリンクラー配管２８の配管作業後、ナット３０ｆを締め付け、停滞水防止継手３０を固定部材２０に固定する。また、スプリンクラーヘッド２６を停滞水防止継手３０の雌ネジ部３０ｅにねじ込んで、固定する。
【００５９】
樹脂のホース３２は、ある程度の可撓性があるけれども、長さが決まっているため、停滞水防止継手３０の位置が変化すると、ホースに働く力が変化する。本実施形態では、ホースに働く力が変化する際、ホース３２に働く力が釣り合うように、停滞水防止継手３０が固定部材２０に対して回転する。従って、ホースに不釣合いな力が働いた状態で停滞水防止継手３０を固定部材２０に固定することが防止される。
【００６０】
次いで、引張りばね４６の一方の端部を固定部材２０の延長部２０ｃに引掛け、他方の端部を引張り状態で下カバー４４に引掛ける。手を離すと、下カバー４４は、引張りばね４６によって天井パネル４に押付けられ、開口８が閉鎖される（図４参照）。
【００６１】
メンテナンスするときは、下カバー４４を外す。それにより、天井パネル４の下側から固定部材２０の上側の配管作業箇所４２等に容易にアクセスすることが可能になる。天井パネル４を外さずにメンテナンスできるので、天井パネル４を外さなければならない場合よりも作業効率を向上させることができる。
【００６２】
また、上述した固定構造では、既存の野縁６を切断することなしに、スプリンクラー装置２を天井パネル４に固定することができる。逆に、既存の野縁６の寸法が分かっているため、ブラケット１６、棒状部材１２、１４、固定部材２０を介してスプリンクラーヘッドの高さ方向位置を予め設定することができる。
【００６３】
また、締付け具５６の回動レバー５６ａが水平方向を越えて下側に回動していることを視認できれば、棒状部材１２、１４が予め設計された力でブラケット５４に押付けられていることを容易に確認することができる。
【００６４】
上記実施形態では、天井パネル保持部が、アルミ材で構成された野縁６を有する場合を説明したが、変形例として、天井パネル保持部は、矩形断面の木材等で構成された野縁７であってもよい。図８は、木材で構成された野縁を有する固定構造の部分的な正面図であり、図９は、図８の固定構造の平面図であり、図１０は、締付け具の斜視図である。
【００６５】
一対の棒状部材１２、１４は、野縁７に固定されたブラケット６６を介して野縁７に固定されている。ブラケット６６は、野縁７の上面を覆うように固定された平面部６６ａと、平面部６６ａから下側に延びる下向き延長部６６ｂと、平面部６６ａから上側に延びる上向き延長部６６ｃとを有している。下向き延長部６６ｂは、棒状部材１２、１４と整列し、締付け具５７が引掛けられる引掛け部を構成する。上向き延長部６６ｃは、一対の棒状部材１２、１４が延びる方向と垂直な方向に一対の棒状部材１２、１４が移動することを規制する規制部を構成する。締付け具５７は、第１の側部５７ｅ及び第２の側部５７ｆがＪ字形であること以外、上述した締付け具５６同様の構成を有している。図１０は、図６に示した締付け具５６に対応する要素の番号を５７に変えて付した締付け具５７を示している。
【００６６】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００６７】
上記固定方法の実施形態では、停滞水防止継手３０を固定部材２０に仮固定してから、それらを開口８を通して、天井パネル４の上側に導入し、停滞水防止継手３０をホース３２に取付けたけれども、停滞水防止継手３０を開口８を通して天井パネル４の上側に導入して停滞水防止継手３０をホース３２に取付けてから、固定部材２０を開口８を通して天井パネル４の上側に導入して停滞水防止継手３０を固定部材２０に仮固定してもよい。
【符号の説明】
【００６８】
２  スプリンクラー装置
４  天井パネル
６、７  野縁（天井パネル保持部）
８  開口
１０  固定装置
１２、１４  一対の棒状部材
２０  固定部材
２６  スプリンクラーヘッド
２８  スプリンクラー配管
４２  配管作業箇所
４４  下カバー
４６  引張りばね
５６、５７  締付け具
６４  ブラケット
６５  側縁（規制部）
６６  ブラケット
６６ｃ  上向き延長部（規制部）
【図１】
2010159604.tif 000003
【図２】
2010159604.tif 000004
【図３】
2010159604.tif 000005
【図４】
2010159604.tif 000006
【図５】
2010159604.tif 000007
【図６】
2010159604.tif 000008
【図７】
2010159604.tif 000009
【図８】
2010159604.tif 000010
【図９】
2010159604.tif 000011
【図１０】
2010159604.tif 000012